(57)【要約】      （修正有）【課題】バレルに充填される薬液量が異なる複数種類のプレフィルドシリンジを収容部内で簡単に位置決め保持して、薬液の漏れ出し等の不具合を回避できる、新規な構造のプレフィルドシリンジのブリスター包装体を提供する。【解決手段】容器本体１４の収容部１８は、バレル収容溝２２とプランジャ収容溝２４が長さ方向に直列的に延びる溝状とされている。バレル収容溝２２とプランジャ収容溝２４との間には、バレル３８の指掛フランジ４６を収容してバレル３８を容器本体１４に対して長さ方向で位置決めするバレル位置決め溝３０が、周方向に延びて形成されている。プランジャ収容溝２４には、周方向に延びるセット溝５４が長さ方向に所定の間隔で複数形成されており、プランジャ４２の押込フランジ５２をそれら複数のセット溝５４ａ〜５４ｅの何れかに選択的に収容することで、プランジャ４２のバレル３８からの突出量を選択的に設定して位置決め可能とした。【選択図】図１３
2014162532.tif 000002
【特許請求の範囲】
【請求項１】
プレフィルドシリンジが収容される収容部を備えた容器本体にシート状の蓋体が固着されて該収容部が封止されたプレフィルドシリンジのブリスター包装体において、
前記容器本体の前記収容部は、前記プレフィルドシリンジのバレルを収容するバレル収容溝と、プランジャを収容するプランジャ収容溝とが、長さ方向に直列的に延びる溝状とされている一方、
それらバレル収容溝とプランジャ収容溝との間には、該バレルの指掛フランジを収容して該バレルを該容器本体の長さ方向で位置決めするバレル位置決め溝が、周方向に延びて形成されていると共に、
該プランジャ収容溝には、それぞれ周方向に延びて該プランジャの押込フランジが嵌め入れ可能とされたセット溝が、長さ方向に所定の間隔で複数形成されており、該押込フランジがそれら複数のセット溝の何れかに対して選択的に収容されることで該プランジャの該バレルからの突出量を選択的に設定して位置決め可能とされていることを特徴とするプレフィルドシリンジのブリスター包装体。
【請求項２】
前記収容部の長さ方向端部には、前記プレフィルドシリンジの先端開口部を封止する封止栓と対向位置する対向壁が設けられており、該封止栓と該対向壁の当接によって該封止栓の前記バレルに対する相対変位量を制限する抜止め手段が構成されるようにした請求項１に記載のプレフィルドシリンジのブリスター包装体。
【請求項３】
前記容器本体が樹脂製の透明な部材とされており、前記蓋体で封止された前記収容部内を外部から視認可能とされている請求項１又は２に記載のプレフィルドシリンジのブリスター包装体。
【請求項４】
前記バレル収容溝の溝幅方向両側には、溝内に突出する支持突部が設けられており、前記プレフィルドシリンジの前記バレルがそれら支持突部で支持されるようにした請求項１〜３の何れか１項に記載のプレフィルドシリンジのブリスター包装体。
【請求項５】
前記プレフィルドシリンジと前記収容部の壁内面との間に空隙が形成されるようにした請求項１〜４の何れか１項に記載のプレフィルドシリンジのブリスター包装体。
【請求項６】
溝状とされた前記収容部の長さ方向両端部には、前記バレル収容溝および前記プランジャ収容溝よりも深底とされた凹部が形成されている請求項１〜５の何れか１項に記載のプレフィルドシリンジのブリスター包装体。
【請求項７】
前記蓋体が前記収容部の開口周縁部の端面に全周に亘って重ね合わされて固着されている請求項１〜６の何れか１項に記載のプレフィルドシリンジのブリスター包装体。
【請求項８】
前記容器本体の前記収容部には、前記プレフィルドシリンジが収容配置されている請求項１〜７の何れか１項に記載のプレフィルドシリンジのブリスター包装体。
【発明の詳細な説明】
【技術分野】
【０００１】
本発明は、バレル内に薬液を予め充填されたプレフィルドシリンジを収容するプレフィルドシリンジのブリスター包装体に関するものである。
【背景技術】
【０００２】
従来から、医療の分野では、微生物汚染の危険の低減や、救急時の迅速な対応等を目的として、予め薬液を充填されたプレフィルドシリンジが用いられている。このプレフィルドシリンジは、筒状のバレルと、バレルに挿入されるプランジャとの間に、所定量の薬液が充填されており、バレルの先端開口部がゴム栓で封止されることによって、薬液がバレル内に保持されている。
【０００３】
また、一般的に、プレフィルドシリンジは、輸送時や保管時の損傷等を防ぐと共に、使用時まで清潔を保つために、包装体に収容されている。プレフィルドシリンジを収容する包装体としては、合成樹脂膜で形成された袋体等も用いられ得るが、例えば、特許第４９５２８９０号公報（特許文献１）等に示されているようなブリスター包装体が採用されている。このブリスター包装体は、プレフィルドシリンジを収容する収容部を備えた容器本体に、シート状の蓋体が固着された構造を有しており、収容部が蓋体で封止されることによって、収容部に収容されたプレフィルドシリンジが、外部からの衝撃力や微生物等の異物から保護されて、損傷や汚染が防止されるようになっている。
【０００４】
ところで、ブリスター包装体に収容されたプレフィルドシリンジは、落下時の衝撃力等でプランジャが不用意に押し込まれて、薬液が漏れ出すといった不具合を回避するために、特に長さ方向において、プレフィルドシリンジが収容部の壁内面から充分に離隔した状態で、ブリスター包装体に対して位置決め保持されることが望ましい。そこで、特許文献１では、ブリスター包装体の収容部内に突出する突出部の先端面に粘着剤を塗布して、突出部の先端面をバレルの外周面に当接させることで、プレフィルドシリンジをブリスター包装体に対して位置決め可能とした構造が提案されている。
【０００５】
しかしながら、特許文献１の構造では、容器本体の成形後に、突出部の先端面に粘着剤を塗布する必要があり、製造工程数の増加が問題となる。しかも、粘着剤の粘着力が弱すぎると、作用する衝撃力によっては、プレフィルドシリンジがブリスター包装体から外れるおそれがある一方、粘着剤の粘着力が強すぎると、使用時にプレフィルドシリンジをブリスター包装体から取り出し難くなるという問題があった。
【０００６】
さらに、プレフィルドシリンジは、バレル内に充填される薬液の量に応じてプランジャの初期位置が異なることから、充填される薬液の量が多い場合には、プランジャと収容部との隙間が小さくなる。その結果、落下時等に外部からの衝撃力がプランジャに伝達され易くなり、プランジャがバレルに押し込まれる等して、薬液の漏れ等が生じるおそれもあった。
【先行技術文献】
【特許文献】
【０００７】
【特許文献１】特許第４９５２８９０号公報
【発明の概要】
【発明が解決しようとする課題】
【０００８】
本発明は、上述の事情を背景に為されたものであって、その解決課題は、バレルに充填される薬液量が異なる複数種類のプレフィルドシリンジを収容部内で簡単に位置決め保持して、落下時等に薬液の漏れ出し等の不具合を回避できる、新規な構造のプレフィルドシリンジのブリスター包装体を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。
【００１０】
すなわち、本発明の第一の態様は、プレフィルドシリンジが収容される収容部を備えた容器本体にシート状の蓋体が固着されて該収容部が封止されたプレフィルドシリンジのブリスター包装体において、前記容器本体の前記収容部は、前記プレフィルドシリンジのバレルを収容するバレル収容溝と、プランジャを収容するプランジャ収容溝とが、長さ方向に直列的に延びる溝状とされている一方、それらバレル収容溝とプランジャ収容溝との間には、該バレルの指掛フランジを収容して該バレルを該容器本体の長さ方向で位置決めするバレル位置決め溝が、周方向に延びて形成されていると共に、該プランジャ収容溝には、それぞれ周方向に延びて該プランジャの押込フランジが嵌め入れ可能とされたセット溝が、長さ方向に所定の間隔で複数形成されており、該押込フランジがそれら複数のセット溝の何れかに対して選択的に収容されることで該プランジャの該バレルからの突出量を選択的に設定して位置決め可能とされていることを、特徴とする。
【００１１】
このような第一の態様に従う構造とされたプレフィルドシリンジのブリスター包装体によれば、指掛フランジがバレル位置決め溝に収容されることで、バレルが容器本体に対して長さ方向で相対的に位置決めされると共に、押込フランジがセット溝に収容されることで、プランジャが容器本体に対して長さ方向で相対的に位置決めされる。これにより、バレルとプランジャが容器本体によって長さ方向で位置決めされて、それらバレルとプランジャの相対変位に起因する薬液の漏れ等が防止される。
【００１２】
しかも、押込フランジが嵌め入れられるセット溝は、長さ方向に所定の間隔で複数が形成されており、それら複数のセット溝の何れかに押込フランジが選択的に収容される。それ故、プランジャのバレルからの突出量に応じて選択されたセット溝に対して押込フランジを嵌め入れることで、プランジャのバレルからの突出量、換言すればバレルに充填された薬液等の量が異なる複数種類のプレフィルドシリンジを、何れもバレルとプランジャが位置決めされた状態で収容することができる。
【００１３】
また、プランジャの押込フランジがプランジャ収容溝の周方向に延びるセット溝に収容されることで、プランジャが容器本体に対して長さ方向で位置決めされている。それ故、収容部の開口部が蓋体で封止された状態では、押込フランジとセット溝の内面との長さ方向での係止によって、プランジャが容器本体に対して長さ方向で有効に位置決めされる。一方、蓋体が取り外される等して収容部の開口部が開封された状態では、押込フランジをセット溝から容易に抜き取ることが可能であり、プレフィルドシリンジを収容部から簡単に取り出すことができる。
【００１４】
本発明の第二の態様は、第一の態様に記載されたプレフィルドシリンジのブリスター包装体において、前記収容部の長さ方向端部には、前記プレフィルドシリンジの先端開口部を封止する封止栓と対向位置する対向壁が設けられており、該封止栓と該対向壁の当接によって該封止栓の前記バレルに対する相対変位量を制限する抜止め手段が構成されるようにしたものである。
【００１５】
第二の態様によれば、封止栓と対向壁の当接によって、封止栓のバレル先端からの抜けが防止されて、薬液等の漏れが防止される。従って、バレルとプランジャの相対的な位置決めと、バレルと封止栓の相対的な位置決めとによって、薬液等の漏れが一層効果的に防止され得る。
【００１６】
本発明の第三の態様は、第一又は第二の態様に記載されたプレフィルドシリンジのブリスター包装体において、前記容器本体が樹脂製の透明な部材とされており、前記蓋体で封止された前記収容部内を外部から視認可能とされているものである。
【００１７】
第三の態様によれば、容器本体が透明であることから、蓋体を容器本体から取り外す等して収容部を開封することなく、密閉状態の収容部内を容器本体を透かして外部から視認することができる。それ故、プレフィルドシリンジに充填された薬液の量や、プレフィルドシリンジが所定の収容状態に維持されていること等を、簡単に且つ確実に確認することができる。
【００１８】
本発明の第四の態様は、第一〜第三の何れか１つの態様に記載されたプレフィルドシリンジのブリスター包装体において、前記バレル収容溝の溝幅方向両側には、溝内に突出する支持突部が設けられており、前記プレフィルドシリンジの前記バレルがそれら支持突部で支持されるようにしたものである。
【００１９】
第四の態様によれば、プレフィルドシリンジのバレルが支持突部との係止によってバレル収容溝から抜け出し難くなって、プレフィルドシリンジが収容部に安定して保持される。なお、支持突部の形状は特に限定されるものではないが、例えば、バレル収容溝の開口部側の端面を、バレル収容溝の開口部側に向かって次第に拡開するテーパ形状とすれば、バレルのバレル収容溝への嵌入れ時に、支持突部を乗り越え易くなって、作業性の向上が図られ得る。
【００２０】
本発明の第五の態様は、第一〜第四の何れか１つの態様に記載されたプレフィルドシリンジのブリスター包装体において、前記プレフィルドシリンジと前記収容部の壁内面との間に空隙が形成されるようにしたものである。
【００２１】
第五の態様によれば、プレフィルドシリンジを収容したブリスター包装体が落下した場合等に、床面との当接による衝撃力が収容部の壁部の変形によって吸収されることから、プレフィルドシリンジへの伝達が低減されて、プレフィルドシリンジの損傷が防止される。
【００２２】
本発明の第六の態様は、第一〜第五の何れか１つの態様に記載されたプレフィルドシリンジのブリスター包装体において、溝状とされた前記収容部の長さ方向両端部には、前記バレル収容溝および前記プランジャ収容溝よりも深底とされた凹部が形成されているものである。
【００２３】
第六の態様によれば、ブリスター包装体の落下時等に、バレル収容溝およびプランジャ収容溝よりも大きく突出した凹部が先に床面に接し易いことから、バレル収容溝およびプランジャ収容溝においてプレフィルドシリンジと容器本体の間の空隙が小さく設定されていても、プレフィルドシリンジを有効に保護することができる。
【００２４】
しかも、複数の容器本体を重ね合わせて保管する場合には、重ね合わされる複数の容器本体に設けられた深底の凹部を嵌め合わせることにより、容器本体同士を容易に位置決めして重ね合わせることが可能である。
【００２５】
本発明の第七の態様は、第一〜第六の何れか１つの態様に記載されたプレフィルドシリンジのブリスター包装体において、前記蓋体が前記収容部の開口周縁部の端面に全周に亘って重ね合わされて固着されているものである。
【００２６】
第七の態様によれば、容器本体と蓋体の固着が容易に実現されて、外部から密閉された収容部を簡単且つ確実に得ることができる。特に、収容部の開口部にフランジ状の固着板部を設けて、固着板部と蓋体を重ね合わせて固着すれば、容器本体と蓋体の固着をより簡単に行うことができる。
【００２７】
本発明の第八の態様は、第一〜第七の何れか１つの態様に記載されたプレフィルドシリンジのブリスター包装体において、前記容器本体の前記収容部には、前記プレフィルドシリンジが収容配置されているものである。
【００２８】
第八の態様に示すように、プレフィルドシリンジを外部から密閉された収容部に収容配置すれば、プレフィルドシリンジの損傷や汚染がブリスター包装体によって防止されて、プレフィルドシリンジを使用可能な状態に維持することができる。
【発明の効果】
【００２９】
本発明によれば、バレルの指掛フランジをバレル位置決め溝に収容することで、バレルが容器本体に対して長さ方向で位置決めされると共に、プランジャの押込フランジをセット溝に収容することで、プランジャが容器本体に対して長さ方向で位置決めされる。これにより、プランジャのバレルからの突出量が設定されて、バレルとプランジャが容器本体によって相対的に位置決めされることから、プランジャのバレルに対する相対変位に起因する薬液の漏れ等が防止される。
【００３０】
さらに、複数のセット溝が長さ方向に所定の間隔で形成されており、押込フランジがそれらセット溝の何れかに選択的に収容される。それ故、プランジャのバレルからの突出量、換言すれば、バレルに充填される薬液の量が異なる複数種類のプレフィルドシリンジを、何れもバレルとプランジャを相互に位置決めした状態で収容することができる。
【図面の簡単な説明】
【００３１】
【図１】本発明の一実施形態としてのプレフィルドシリンジのブリスター包装体を示す斜視図。
【図２】図１に示されたブリスター包装体の平面図。
【図３】図１に示されたブリスター包装体の底面図。
【図４】図１に示されたブリスター包装体の正面図。
【図５】図１に示されたブリスター包装体の背面図。
【図６】図１に示されたブリスター包装体の右側面図。
【図７】図２のＶＩＩ−ＶＩＩ断面図。
【図８】図２のＶＩＩＩ−ＶＩＩＩ断面図。
【図９】図２のＩＸ−ＩＸ断面図。
【図１０】図２のＸ−Ｘ断面図。
【図１１】図２のＸＩ−ＸＩ断面図。
【図１２】図２のＸＩＩ−ＸＩＩ断面図。
【図１３】図１に示されたブリスター包装体から蓋体を取り除いた開封状態を示す底面図。
【図１４】図１３のＸＩＶ−ＸＩＶ断面図。
【発明を実施するための形態】
【００３２】
以下、本発明の実施形態について、図面を参照しつつ説明する。
【００３３】
図１〜図１２には、本発明の一実施形態としてのプレフィルドシリンジのブリスター包装体１０（以下、ブリスター包装体１０と称する）が示されている。ブリスター包装体１０は、プレフィルドシリンジ１２が収容される容器本体１４に、シート状の蓋体１６が固着された構造を有している。
【００３４】
より詳細には、容器本体１４は、薄肉の樹脂で形成されており、全体として略角丸矩形の長手板状とされており、内周部分には厚さ方向一方の側に開口する凹状の収容部１８が形成されていると共に、外周部分には収容部１８の開口部から延び出すフランジ状の固着板部２０が一体形成されている。本実施形態の容器本体１４は透明とされており、後述する蓋体１６で封止された収容部１８の内部を、外部から容器本体１４を透かして視認可能とされている。なお、以下の説明では、原則として、長さ方向とは容器本体１４の長手方向である図２中の上下方向を、幅方向とは容器本体１４の短手方向である図２中の左右方向を、それぞれ言う。また、上下方向とは、原則として、図４中の上下方向を言う。
【００３５】
容器本体１４の形成材料は特に限定されるものではないが、後述の如き高圧蒸気滅菌を採用する場合には、滅菌時の高温を許容し得る耐熱性に優れた合成樹脂が望ましく、例えば、ポリエチレン（ＰＥ）、ポリプロピレン（ＰＰ）、ポリ塩化ビニル（ＰＶＣ）、ポリスチレン（ＰＳ）、アクリロニトリル・ブタジエン・スチレン（ＡＢＳ）、ポリメチルメタアクリレート（ＰＭＭＡ）、アクリロニトリル・エチレンプロピレンゴム・スチレン（ＡＥＳ）、非晶性ポリエチレンテレフタレート（Ａ−ＰＥＴ）、ポリカーボネート（ＰＣ）、およびこれら樹脂の共重合、ポリマーアロイ、変性樹脂の他、ポリサルフォン（ＰＳＦ）、ポリエーテルイミド（ＰＥＩ）、ポリエーテルエーテルケトン（ＰＥＥＫ）等のスーパーエンジニアリングプラスチックなどが、好適に用いられる。
【００３６】
さらに、容器本体１４の成形方法も特に限定されるものではないが、薄肉の容器本体１４を効率的に且つ高精度に成形する目的で、真空成形が好適に採用される。より好適には、成形型と形成材料の間を真空状態に減圧すると同時に、形成材料を挟んで成形型と反対側の空間を、形成材料が成形型に押し付けられるように加圧する圧空成形が採用される。
【００３７】
また、容器本体１４の内周部分に形成される収容部１８は、バレル収容溝２２とプランジャ収容溝２４を、長さ方向で直列的に接続した構造を有している。バレル収容溝２２は、図７，図８に示すように、長さ方向に延びる直線的な溝状であって、底壁部が略半円形状とされていると共に、側壁部が開口側（図８中、下側）に向かって次第に幅広となる傾斜平板形状とされている。更に、図８に示すように、バレル収容溝２２の長さ方向の中央部分には、両側壁から幅方向の内側に突出する一対の支持突部２６，２６が形成されている。この支持突部２６は、突出先端に向かって上下方向で狭幅となる縦断面形状を有しており、一対の支持突部２６，２６の形成部分においてバレル収容溝２２が幅方向で狭窄されている。なお、図８に示すように、バレル収容溝２２の下方には、バレル収容溝２２よりも幅広の溝状とされた緩衝溝２７が一体形成されている。換言すれば、バレル収容溝２２は、緩衝溝２７の底壁部の幅方向中央部分に開口するように形成されている。
【００３８】
プランジャ収容溝２４は、図７に示すように、長さ方向に直線的に延びる溝状であって、バレル収容溝２２と同様に、底壁部が略半円形状とされていると共に、側壁部が開口側（図９中、下側）に向かって次第に幅広となる傾斜平板形状とされている（図９，図１０参照）。なお、プランジャ収容溝２４の下方には、緩衝溝２７が延び出して一体形成されており、プランジャ収容溝２４が緩衝溝２７の底壁部の幅方向中央部分に開口するように形成されている。
【００３９】
また、バレル収容溝２２とプランジャ収容溝２４の間には、中間位置決め凹部２８が形成されている。中間位置決め凹部２８は、図７，図１１に示すように、バレル収容溝２２およびプランジャ収容溝２４に比して深さ寸法および幅寸法が大きくされている。更に、中間位置決め凹部２８は、プランジャ収容溝２４側に位置する部分の幅寸法が、バレル収容溝２２側に位置する部分の幅寸法よりも小さくされていると共に、狭幅とされたプランジャ収容溝２４側の端部付近には、幅方向両側に突出するバレル位置決め溝３０が形成されている。バレル位置決め溝３０は、バレル収容溝２２とプランジャ収容溝２４間で周方向に延びる溝状とされており、中間位置決め凹部２８よりも上下方向の深さ寸法が小さくされていると共に、後述するプレフィルドシリンジ１２の指掛フランジ４６を収容可能とされている。
【００４０】
さらに、バレル収容溝２２の長さ方向外側には、凹部としての先端位置決め凹部３２が形成されて、バレル収容溝２２に連通されている。先端位置決め凹部３２は、図２，図７，図１２等に示すように、角丸矩形断面を呈する凹所であって、中間位置決め凹部２８と略同じ深さ寸法で形成されていると共に、幅広とされた中間位置決め凹部２８のバレル収容溝２２側の端部と略同じ幅寸法で形成されている。そして、バレル収容溝２２が先端位置決め凹部３２の幅方向中央部分に接続されて、それらバレル収容溝２２と先端位置決め凹部３２が相互に連通されている。なお、先端位置決め凹部３２の長さ方向先端側（図２中、下側）の壁部が、プレフィルドシリンジ１２の収容状態において後述するゴム栓５０と対向する対向壁３４とされている。
【００４１】
更にまた、プランジャ収容溝２４の長さ方向外側には、凹部としての基端位置決め凹部３６が形成されて、プランジャ収容溝２４に連通されている。基端位置決め凹部３６は、角丸矩形断面を呈する凹所であって、中間位置決め凹部２８および先端位置決め凹部３２と略同じ深さ寸法を有していると共に、中間位置決め凹部２８の幅広部分および先端位置決め凹部３２と略同じ幅寸法を有している。そして、プランジャ収容溝２４が基端位置決め凹部３６の幅方向中央部分に接続されて、それらバレル収容溝２２と基端位置決め凹部３６が相互に連通されている。
【００４２】
要するに、本実施形態の収容部１８は、先端位置決め凹部３２と、バレル収容溝２２と、中間位置決め凹部２８と、プランジャ収容溝２４と、基端位置決め凹部３６とを、長さ方向に連続して備えている。更に、収容部１８は、長さ方向の両端部分が、バレル収容溝２２およびプランジャ収容溝２４よりも深さ寸法が大きい先端位置決め凹部３２と基端位置決め凹部３６で構成されていると共に、長さ方向の略中央部分が、それら先端位置決め凹部３２および基端位置決め凹部３６と略同じ深さ寸法を有する中間位置決め凹部２８で構成されている。
【００４３】
この収容部１８は、蓋体１６によって封止されている。蓋体１６は、アルミニウム箔等の金属箔や合成紙および布等と合成樹脂との複合材からなるラミネートシート、厚紙、プラスチックシート、不織布等で形成された薄肉の部材であって、上下方向の投影において容器本体１４と略対応する形状を有している。図３では省略したが、蓋体１６には、商品名や取扱い上の注意事項の他、収容部１８に収容されるプレフィルドシリンジ１２に充填された薬液の種類や量、使用期限等の情報が、適宜に表記され得る。そして、蓋体１６を容器本体１４の固着板部２０に対して下方から重ね合わせて、接着や溶着等の手段で全周に亘って剥離可能に固着することにより、収容部１８が蓋体１６によって封止されて、外部空間から密閉された収容部１８を備えるブリスター包装体１０が形成される。
【００４４】
なお、固着板部２０の長さ方向の先端部分には、段差部３７が一体形成されている。この段差部３７は、蓋体１６に対して固着されることなく、上方に離れて配置されており、固着板部２０と蓋体１６の各先端部分を手指等で持って相互に引き離すことにより、蓋体１６を容器本体１４から容易に取り外すことができる。尤も、本実施形態では、蓋体１６を容器本体１４から剥がすことでブリスター包装体１０が開封されるようになっているが、例えば、収容部１８の開口部を覆う蓋体１６の内周部分を手指等で破ることにより、ブリスター包装体が開封されるようになっていても良い。
【００４５】
このような構造とされたブリスター包装体１０には、図１３，図１４に示すように、薬液等を充填されたプレフィルドシリンジ１２が収容配置される。プレフィルドシリンジ１２は、一般的にも知られているように、筒状のバレル３８と、バレル３８に挿入されるガスケット４０と、ガスケット４０に接続されてバレル３８から基端側に突出するプランジャ４２とを備えている。バレル３８は、全体として略円筒形状を有しており、先端開口部が小径の注出口４４とされていると共に、基端開口部には外周側に突出する板状の指掛フランジ４６が一体形成されている。このバレル３８には、ゴム弾性体等で形成されたガスケット４０が嵌入されており、バレル３８の先端とガスケット４０との間に薬液等を封入される液室４８が形成されている。なお、プレフィルドシリンジ１２では、液室４８に薬液等が予め充填されることから、バレル３８先端の注出口４４には、封止栓としてのゴム栓５０が着脱可能に嵌め付けられており、注出口４４がゴム栓５０で流体密に封止されている。
【００４６】
さらに、ガスケット４０には、ロッド状とされたプランジャ４２の先端部が連結されており、バレル３８から基端側に突出したプランジャ４２の基端部分を操作して、プランジャ４２をバレル３８に対して軸方向に変位させることで、ガスケット４０をバレル３８の軸方向に変位させて、液室４８の容積を変更可能となっている。このようなプランジャ４２の操作を容易にする目的で、プランジャ４２の基端部には、外周側に突出する板状の押込フランジ５２が形成されている。
【００４７】
そして、プレフィルドシリンジ１２は、ブリスター包装体１０の収容部１８に収容配置されている。即ち、プレフィルドシリンジ１２は、図１３，図１４に示すように、バレル３８がバレル収容溝２２に挿入されると共に、プランジャ４２がプランジャ収容溝２４に挿入されて、バレル３８がバレル収容溝２２の支持突部２６，２６で支持されることにより、収容部１８に保持される。なお、先端位置決め凹部３２内に突出するバレル３８の先端部分と、基端位置決め凹部３６内に突出するバレル３８の基端部分とが、何れも先端位置決め凹部３２の壁内面および基端位置決め凹部３６の壁内面に対して、離隔状態で配設されていると共に、プランジャ４２がプランジャ収容溝２４に対して、離隔状態で配設されている。このように、プレフィルドシリンジ１２と収容部１８の壁内面の間には、バレル収容溝２２を外れた部分において、所定の空隙が形成されており、プレフィルドシリンジ１２が収容部１８の壁内面に対して離隔した状態で収容されている。
【００４８】
また、バレル３８の指掛フランジ４６が、収容部１８のバレル位置決め溝３０に嵌め入れられることにより、バレル３８が容器本体１４に対して長さ方向で位置決めされている。かかるバレル３８の位置決め状態において、バレル３８の注出口４４に取り付けられたゴム栓５０が、先端位置決め凹部３２の壁面である対向壁３４に対して長さ方向で対向配置されて、ゴム栓５０のバレル３８に対する相対変位量がゴム栓５０と対向壁３４の当接によって制限されている。更に、ゴム栓５０と対向壁３４との対向面間距離が、ゴム栓５０の注出口４４への挿入長さよりも小さくされており、ゴム栓５０の注出口４４からの抜けが、ゴム栓５０と対向壁３４の当接によって防止されている。これらによって、本実施形態の抜け止め手段が構成されている（図１４参照）。
【００４９】
また、プランジャ収容溝２４にはセット溝５４が形成されており、プランジャ４２の押込フランジ５２がセット溝５４に嵌め入れられて、長さ方向で位置決めされる。セット溝５４は、プランジャ収容溝２４の底部を構成する半円筒状の部分に設けられて、それぞれ周方向に延びており、押込フランジ５２の上半分を嵌め入れ可能とされている。更に、セット溝５４は、長さ方向に所定の間隔で複数が形成されており、本実施形態では、先端側（図２中、下側）から５つのセット溝５４ａ〜５４ｅが、等間隔で形成されている。なお、隣り合うセット溝５４，５４間は、何れも、内方に突出した保護突部５５とされている。特に本実施形態では、かかる保護突部５５が、半円弧形状の突条とされている。この保護突部５５の突出先端面は、所定幅で周方向に延びており、プランジャ４２の外周面に近接して対向位置することで、例えば外力がプランジャ収容溝２４に及ぼされた場合にもプランジャ４２を緩衝的に位置決め保護し得るようになっている。
【００５０】
そして、プランジャ４２の押込フランジ５２がセット溝５４に嵌め入れられることで、プランジャ４２の容器本体１４に対する長さ方向での相対変位量が、押込フランジ５２とセット溝５４の側壁内面（長さ方向の壁内面）との当接によって制限されている。これにより、プランジャ４２が容器本体１４に対して長さ方向で位置決めされており、もって、バレル３８とプランジャ４２が容器本体１４によって長さ方向で相互に位置決めされている。
【００５１】
さらに、押込フランジ５２が複数のセット溝５４ａ〜５４ｅの何れか１つに選択的に嵌め入れられることにより、プランジャ４２のバレル３８からの突出量が選択的に設定される。即ち、本実施形態では、プランジャ４２のバレル３８からの突出量が最も小さく、液室４８の容積が最小に設定されている場合には、押込フランジ５２がセット溝５４ａに嵌め入れられる。一方、プランジャ４２のバレル３８からの突出量が最も大きく、液室４８の容積が最大に設定される場合には、押込フランジ５２がセット溝５４ｅに嵌め入れられる。このように、プランジャ４２のバレル３８からの突出量に応じて、押込フランジ５２が何れかのセット溝５４に選択的に収容されることにより、押込フランジ５２とセット溝５４の側壁内面との長さ方向での当接係止によって、プランジャ４２のバレル３８からの突出量が保持される。
【００５２】
なお、図１３，図１４には、プランジャ４２のバレル３８からの突出量が比較的に大きく、押込フランジ５２がプランジャ収容溝２４の基端部分に形成されたセット溝５４ｄに嵌め入れられた状態が、実線で示されている。一方、プランジャ４２のバレル３８からの突出量が比較的に小さく、押込フランジ５２がプランジャ収容溝２４の先端部分に形成されたセット溝５４ｂに嵌め入れられた状態が、二点鎖線で示されている。このように、液室４８内に充填される薬液の量に応じて、押込フランジ５２を収容するセット溝５４が選択されて、液室４８の容積が略一定に保持されるようになっている。
【００５３】
そして、プレフィルドシリンジ１２を容器本体１４の収容部１８に収容した状態で、容器本体１４に蓋体１６を重ね合わせて剥離可能に固着することにより、外部から密閉された収容部１８にプレフィルドシリンジ１２が収容配置されたブリスター包装体１０を得る。なお、プレフィルドシリンジ１２を収容したブリスター包装体１０には、各種公知の滅菌処理が施されることが望ましい。滅菌処理としては、例えば、オートクレーブによる高圧蒸気滅菌の他、エチレンオキソイドガス（ＥＯＧ）滅菌や過酸化水素滅菌、γ線滅菌、電子線滅菌等が、プレフィルドシリンジ１２に充填された薬液の種類等に応じて適宜に選択されて採用される。
【００５４】
このような本実施形態に従う構造とされたブリスター包装体１０では、プレフィルドシリンジ１２が容器本体１４の収容部１８に収容された状態において、指掛フランジ４６がバレル位置決め溝３０に嵌め入れられることで、バレル３８が容器本体１４に対して長さ方向で位置決めされると共に、押込フランジ５２がセット溝５４に嵌め入れられることで、プランジャ４２が容器本体１４に対して長さ方向で位置決めされる。これにより、バレル３８とプランジャ４２が容器本体１４によって長さ方向で相対的に位置決めされて、プランジャ４２のバレル３８に対する相対変位が防止される。それ故、ゴム栓５０やプランジャ４２のバレル３８からの抜けや、それに伴う薬液の漏れ等の不具合が防止される。
【００５５】
しかも、長さ方向に所定の間隔で複数のセット溝５４ａ〜５４ｅが形成されており、それらセット溝５４の何れかに対して、押込フランジ５２が選択的に収容されるようになっている。それ故、ブリスター包装体１０では、プランジャ４２のバレル３８からの突出量、換言すれば、液室４８に予め充填された薬液の量が異なる複数種類のプレフィルドシリンジ１２を、何れも、バレル３８とプランジャ４２を長さ方向で相対的に位置決めした状態で、収容部１８に収容することが可能である。
【００５６】
加えて、押込フランジ５２は、周方向に延びるセット溝５４に対して、上下方向で挿入されて、長さ方向で係止されるようになっている。それ故、収容部１８の開口部が蓋体１６で封止された収容状態では、プランジャ４２の容器本体１４に対する長さ方向での位置決め効果を、押込フランジ５２とセット溝５４の溝内面との当接係止によって有効に得ることができる。一方、収容部１８の開口部から蓋体１６が取り除かれた開封状態では、押込フランジ５２をセット溝５４から下方に抜くことで、プレフィルドシリンジ１２を収容部１８から簡単に取り出すことができる。
【００５７】
さらに、バレル３８の注出口４４に取り付けられるゴム栓５０が、先端位置決め凹部３２の対向壁３４と長さ方向で当接することにより、ゴム栓５０の注出口４４からの抜けが防止されて、薬液の漏れ等の不具合が回避される。
【００５８】
また、容器本体１４が透明とされていることから、開封して収容部１８内を確認することなく、容器本体１４を透かして収容部１８内を視認することができる。それ故、例えば、プランジャ４２の押込フランジ５２が何れのセット溝５４に収容されているかを目視で把握することにより、プレフィルドシリンジ１２に充填された液室４８の薬液量を容易に確認可能である。
【００５９】
また、プレフィルドシリンジ１２と収容部１８の壁内面との間には空隙が形成されていることから、容器本体１４が外部からの衝撃力に対して緩衝体として機能する。従って、落下等による衝撃力がプレフィルドシリンジ１２に直接的に及ぼされるのを防いで、プレフィルドシリンジ１２の損傷や薬液の漏れ等が防止される。
【００６０】
しかも、本実施形態では、プレフィルドシリンジ１２のバレル３８がバレル収容溝２２の壁内面に当接した状態で支持されているが、バレル収容溝２２には外力が作用し難くなっている。即ち、バレル収容溝２２の長さ方向両側には、バレル収容溝２２よりも大きく突出する中間位置決め凹部２８と先端位置決め凹部３２が形成されていると共に、それら中間位置決め凹部２８と先端位置決め凹部３２がそれぞれバレル収容溝２２よりも大きな幅寸法を有している。これにより、衝撃力からの保護が必要とされる床への落下時等には、中間位置決め凹部２８と先端位置決め凹部３２が床面に先に当接して、バレル収容溝２２が床面に打ち当てられるのを防ぐことから、衝撃力がバレル３８に及ぼされるのを防止できる。同様に、プレフィルドシリンジ１２との距離が比較的に小さいプランジャ収容溝２４は、中間位置決め凹部２８と基端位置決め凹部３６によって保護されることから、プランジャ４２の損傷も回避される。
【００６１】
なお、中間位置決め凹部２８と先端位置決め凹部３２および基端位置決め凹部３６では、図１３，図１４に示すように、プレフィルドシリンジ１２と容器本体１４の間に大きな空隙が確保されることから、衝撃力がプレフィルドシリンジ１２に伝達され難くなっている。
【００６２】
以上、本発明の実施形態について詳述してきたが、本発明はその具体的な記載によって限定されない。例えば、セット溝５４の数は、あくまでも例示であって、２つ以上の複数であれば、特に限定されるものではない。
【００６３】
さらに、３つ以上のセット溝５４を設ける場合には、それらセット溝５４が長さ方向で等間隔に配置される必要はなく、セット溝５４の長さ方向での間隔は、収容すべきプレフィルドシリンジ１２における薬液の量に応じて任意に設定される。
【００６４】
更にまた、セット溝５４は、必ずしも押込フランジ５２の上半分を収容する形状には限定されず、例えば、セット溝をプランジャ収容溝２４の両側壁部にのみ形成して、押込フランジ５２の幅方向両側がセット溝に収容されるようにしても良い。
【００６５】
また、容器本体１４は、収容部１８の内部を確認し易くするために、透明であることが望ましいが、例えば、ガスバリアの向上等を目的として、アルミニウム箔と合成樹脂の複合材で容器本体を形成する場合等には、容器本体は不透明であっても良い。なお、不透明な容器本体を採用する場合には、蓋体の少なくとも一部を透明にして、収容部１８内の視認性を確保することもできる。
【００６６】
また、バレル収容溝２２に突設される支持突部２６は、バレル収容溝２２の長さ方向で複数箇所に設けられていても良く、それによって、バレル３８のバレル収容溝２２からの抜け出しがより効果的に防止され得る。
【符号の説明】
【００６７】
１０：プレフィルドシリンジのブリスター包装体、１２：プレフィルドシリンジ、１４：容器本体、１６：蓋体、１８：収容部、２２：バレル収容溝、２４：プランジャ収容溝、２６：支持突部、３０：バレル位置決め溝、３２：先端位置決め凹部（凹部）、３４：対向壁、３６：基端位置決め凹部（凹部）、３８：バレル、４２：プランジャ、４６：指掛フランジ、５０：ゴム栓（封止栓）、５２：押込フランジ、５４：セット溝
【図１】
2014162532.tif 000003
【図２】
2014162532.tif 000004
【図３】
2014162532.tif 000005
【図４】
2014162532.tif 000006
【図５】
2014162532.tif 000007
【図６】
2014162532.tif 000008
【図７】
2014162532.tif 000009
【図８】
2014162532.tif 000010
【図９】
2014162532.tif 000011
【図１０】
2014162532.tif 000012
【図１１】
2014162532.tif 000013
【図１２】
2014162532.tif 000014
【図１３】
2014162532.tif 000015
【図１４】
2014162532.tif 000016